(57)【特許請求の範囲】
【請求項１】
少なくとも、液晶パネル、該液晶パネル用の駆動回路部、及びバックライト反射ケースを一体化してなる第１のユニットと、
少なくとも、複数のバックライト用光源と、該光源用の駆動回路部とを一体化してなる第２のユニットとを備え、
前記第２のユニットは前記第１のユニットの前記バックライト反射ケースに対してワンタッチで着脱自在であり、
前記バックライト反射ケースは、前記第２のユニットを前記第１のユニットの前記バックライト反射ケースに装着する際に前記複数のバックライト用光源を前記バックライト反射ケースの内部へと通過させるための開口部を有し、該開口部は、前記複数のバックライト用光源のそれぞれの位置に対応したスリット状であることを特徴とする液晶表示装置。
【請求項２】
前記第２のユニットは、それぞれ異なる種類のバックライト用光源を備えた複数タイプのものが用意され、該複数タイプの第２のユニットのいずれもが前記第１のユニットの前記バックライト反射ケースに対しワンタッチで着脱自在であることを特徴とする請求項１記載の液晶表示装置。
【請求項３】
前記異なる種類のバックライト用光源は、少なくとも冷陰極蛍光管、熱陰極蛍光管、発光ダイオード、ＣＲＴ、ＥＬ及び白熱ランプの中のいずれかであることを特徴とする請求項２記載の液晶表示装置。
【発明の詳細な説明】
【０００１】
【発明の属する技術分野】
本発明は、例えば空港のフライトインフォメーションや屋外の公告宣伝等に使用される大型の液晶表示装置に係り、特にはそのバックライト用光源部分の取り付け構造に関する。
【０００２】
【従来の技術】
上述したような大型の液晶表示装置は、多数の液晶表示ユニットを例えば縦横に配置した構成等を有し、その全体で１つの大画面を構成している。その従来の液晶表示ユニットの一例を図６に示す。
【０００３】
同図において、液晶パネル１の背面側に光拡散板２が設けられ、更にその背面側の全体を覆うように反射ケース３が取り付けられ、この反射ケース３の内部にはバックライト用の光源４が幾つか配置されている。更に、反射ケース３の背面側には、液晶パネル駆動用の回路基板５と、光源駆動用の回路基板６とが配置されている。液晶パネル１とその駆動用回路基板５とは、フレキシブルケーブルやＴＡＢ等のケーブル７によって接続され、また、光源４のそれぞれとその駆動用回路基板６とは、接続ケーブル８によって接続されるか、又は直接接続されている。
【０００４】
このような構成からなる各液晶表示ユニットは、液晶表示装置の本体フレームに対し、保持金具等により固定されている。
【０００５】
【発明が解決しようとする課題】
図６に示したように、従来の液晶表示ユニットは、光拡散板２、反射ケース３、バックライト用光源４、及び各回路基板５、６が互いに一体化され、１つのユニット（バックライトユニット）として構成されている。
【０００６】
そのため、例えば保守点検の際に、もし光源４を新品と交換したければ、上記バックライトユニット単位での交換を行う必要があった。
また、光源４を、これとは異なる種類の光源へ（例えば蛍光灯から白熱ランプへ）と変更したければ、液晶表示ユニットの全体を交換する必要があった。
【０００７】
これでは、光源だけを交換したいのに、他の多くの部品までも全て交換しなければならず、交換費用の増大や資源の無駄遣いを招来するといった問題が起こる。
【０００８】
本発明は、上記従来の問題点に鑑み、無駄なく、かつ作業性良く、バックライト用光源を交換することの可能な液晶表示装置を提供することを課題とする。
【０００９】
【課題を解決するための手段】
本発明は、上記課題を解決するために、以下のように構成する。すなわち、本発明の液晶表示装置は、少なくとも、液晶パネル、この液晶パネル用の駆動回路部、及びバックライト反射ケースを一体化してなる第１のユニットと、少なくとも、複数のバックライト用光源と、該光源用の駆動回路部とを一体化してなる第２のユニットとを備え、上記第２のユニットは上記第１のユニットの上記バックライト反射ケースに対してワンタッチで着脱自在であり、上記バックライト反射ケースは、上記第２のユニットを上記第１のユニットの上記バックライト反射ケースに装着する際に上記複数のバックライト用光源を上記バックライト反射ケースの内部へと通過させるための開口部を有し、この開口部は、上記複数のバックライト用光源のそれぞれの位置に対応したスリット状であることを特徴とするものである。
【００１０】
このような構成とすることにより、もし光源を新品のものと交換したければ、液晶パネルや反射ケース等を備えた第１のユニットはそのままに、光源やその駆動回路部を備えた第２のユニットだけを取り換えればよい。そのため、交換費用や資源の無駄遣いを抑えつつ、必要な部分だけを簡単に交換することが可能となる。
【００１１】
ここで、上記第２のユニットは、それぞれ異なる種類のバックライト用光源（例えば、冷陰極蛍光管、熱陰極蛍光管、発光ダイオード、ＣＲＴ、ＥＬ（無機・有機含む）、白熱ランプ等）を備えた複数タイプのものが用意され、これら複数タイプの第２のユニットのいずれもが上記第１のユニットの上記バックライト反射ケースに対しワンタッチで着脱自在な構成とすることが望ましい。
【００１２】
このような構成とすれば、複数タイプ用意された第２のユニットの中から、任意のタイプを選択することで、任意のバックライト光源を備えた液晶表示装置を簡単に製造することが可能となり、また、保守点検時等においても、必要性やユーザの要望等に応じて任意のタイプのものに手軽に交換することが可能となる。
【００１５】
【発明の実施の形態】
以下、本発明の実施の形態について、図面を参照しながら詳細に説明する。
図１は、本発明の一実施の形態に係る液晶表示装置における液晶表示ユニットの概略構成図である。
【００１６】
同図に示す液晶表示ユニットは、大別して、第１のユニットＵ１と第２のユニットＵ２とから構成される。
第１のユニットＵ１は、液晶パネル１１と、その背面側に設けられた光拡散板１２と、更にその背面側の全体を覆うように配置された反射ケース１３と、液晶パネル駆動用の回路基板１４と、液晶パネル１１と回路基板１４とを接続するケーブル１５とを備えており、これらが互いに一体化されて１つのユニットを構成している。
【００１７】
第２のユニットＵ２は、バックライト用の光源１６と、その駆動用の回路基板１７とを備えており、回路基板１７上に光源１６が一体化されて１つのユニットを構成している。
【００１８】
そして、第２のユニットＵ２は、第１のユニットＵ１に着脱自在であり、具体的には、図２に示すように、第１のユニットＵ１の反射ケース１３の背面部に対してワンタッチで嵌め込み自在に構成されている。この嵌め込み構造は、例えば、２つのユニットに互いに凹凸の関係を持たせたり、或いは、一方のユニットに爪を設けると共に他方のユニットに該爪との係合部を設ける等、各種の構造を採用可能である。
【００１９】
この場合、反射ケース１３の背面部には、第２のユニットＵ２を第１のユニットＵ１に装着する際に光源１６を反射ケース１３の内部へと通過させるための開口部が設けられている。この開口部は、例えば図３に示すように、個々の光源１６のそれぞれの位置に対応したスリット状の開口部１８（斜線部）であってもよく、或いは、図４に示すように、光源の全てを包囲する１つの大きな開口を形成する開口部１９（斜線部）であってもよい。
【００２０】
図３に示した開口部１８の場合、個々の光源１６に対応する位置にだけ開口が形成され、その中間の領域は閉鎖されているので、反射ケース１３内に塵埃が侵入するのを防止できる。一方、図４に示した開口部１９の場合、光源１６の配置位置を考慮する必要がないので、構造が単純で済み、また、後述するような多種類の光源にも容易に対応できる。
【００２１】
また、以上に述べた第２のユニットＵ２は、図５に示すように、それぞれ異なる種類の光源を備えた複数タイプのものが用意されている。
例えば、図５（ａ）に示す第２のユニットＵ２は、光源１６として蛍光灯又は冷陰極管を備えたものであり、その回路基板１７は蛍光灯又は冷陰極管を駆動するためのインバータ等の回路を備えている。図５（ｂ）に示す第２のユニットＵ２は、光源１６として単色、カラー、又はＲＧＢ一体の発光ダイオード（ＬＥＤ）を備えたものであり、その回路基板１７は発光ダイオードを駆動するための回路を備えている。図５（ｃ）に示す第２のユニットＵ２は、光源１６として白熱ランプ類を備えたものであり、その回路基板１７は白熱ランプ類を駆動するための回路を備えている。その他にも、光源１６としてＣＲＴやＥＬ（エレクトロルミネッセンス）を備えたもの等、各種のタイプを採用可能である。
【００２２】
そして、これら複数タイプの第２のユニットＵ２のいずれもが、第１のユニットＵ１に対し、同様に着脱自在な構成を備えている。すなわち、第１のユニットＵ１は、複数タイプの第２のユニットＵ２のいずれとも組合せ可能であり、共用化されている。
【００２３】
以上に述べた本発明の一実施の形態に係る液晶表示装置によれば、もし光源１６を新品のものと交換したければ、第１のユニットＵ１はそのままに、第２のユニットＵ２だけを取り換えればよいので、交換費用や資源の無駄遣いを抑えつつ、必要な部分だけを簡単に交換することができる。
【００２４】
しかも、複数タイプ用意された第２のユニットＵ２の中から、所望のタイプを選択することができるので、所望の光源を備えた液晶表示装置を簡単に製造することができ、また、保守点検時等においても、必要性やユーザの要望等に応じて所望のタイプのものに手軽に交換することができる。
【００２５】
なお、本発明は、上記実施の形態に限定されるものではなく、請求項１に記載した範囲内において、種々の構成を採用可能である。
【００２６】
【発明の効果】
本発明によれば、光源を新品のものと交換する場合は、第１のユニットに対して着脱自在な第２のユニットだけを取り換えればよいので、交換費用や資源の無駄遣いを極力抑えつつ、必要な部分だけを簡単に交換することができる。
【００２７】
また、複数タイプ用意された第２のユニットの中から任意のタイプを選択できるようにすれば、任意の光源を備えた液晶表示装置を簡単に製造することができ、また、保守点検時等においても任意のタイプのものに手軽に交換することができるようになる。
【図面の簡単な説明】
【図１】本発明の一実施の形態に係る液晶表示装置における液晶表示ユニットの概略構成図である。
【図２】第１のユニットＵ１に対する第２のユニットＵ２の着脱自在な構成を示す概略図である。
【図３】反射ケース１３の背面部に設けられた開口部の一例を示す概略図であり、（ａ）は平面図、（ｂ）はＡ−Ａ断面図である。
【図４】反射ケース１３の背面部に設けられた開口部の他の例を示す概略図であり、（ａ）は平面図、（ｂ）はＢ−Ｂ断面図である。
【図５】異なる種類の光源を備えた複数タイプの第２のユニットＵ２を示す概略図であり、（ａ）は光源として蛍光灯又は冷陰極管を備えたもの、（ｂ）は光源としてＬＥＤを備えたもの、（ｃ）は光源として白熱ランプ類を備えたものを示す。
【図６】従来の液晶表示ユニットの概略構成図である。
【符号の説明】
Ｕ１  第１のユニット
Ｕ２  第２のユニット
１１  液晶パネル
１２  光拡散板
１３  反射ケース
１４  液晶パネル駆動用の回路基板
１５  ケーブル
１６  バックライト用光源
１７  光源駆動用の回路基板
１８、１９  開口部
【図１】
0004558915.tif 000002
【図２】
0004558915.tif 000003
【図３】
0004558915.tif 000004
【図４】
0004558915.tif 000005
【図５】
0004558915.tif 000006
【図６】
0004558915.tif 000007